(57)【要約】【課題】水漏れの発生を防ぎつつ、防水シートで遮水することができる遮水構造を提供する。【解決手段】略平坦な底面１と、底面１の端縁から斜めに立ち上がる法面２とを有する下地に防水シート３を敷設して形成される遮水構造に関する。法面２の一部には構造物４が設置されており、また防水シート３として繊維補強された補強ゴムシート３ａと、補強ゴムシート３ａより伸張性の高い伸張ゴムシート３ｂを用いる。そして上記の底面１には伸張ゴムシート３ｂを敷設し、また上記の法面２には構造物４の周囲を除いて補強ゴムシート３ａを敷設する。さらに構造物４と補強ゴムシート３ａの間に伸張ゴムシート３ｂを接合する。【選択図】図１
2011026801.tif 000002
【特許請求の範囲】
【請求項１】
底面と、底面の端縁から斜めに立ち上がる法面とを有する下地に防水シートを敷設して形成される遮水構造であって、法面の一部には構造物が設置されており、防水シートとして繊維補強された補強ゴムシートと、補強ゴムシートより伸張性の高い伸張ゴムシートを用い、上記底面には伸張ゴムシートが敷設され、上記法面には構造物の周囲を除いて補強ゴムシートが敷設されると共に、構造物と補強ゴムシートの間に伸張ゴムシートが接合されていることを特徴とする遮水構造。
【発明の詳細な説明】
【技術分野】
【０００１】
本発明は、ため池などにおいて施される遮水構造に関するものである。
【背景技術】
【０００２】
ため池や、廃棄物処分場などは、地面を掘り下げ、必要に応じてその表面にコンクリートなどを張った凹部として形成されている。このような凹部の下地は、平坦な底面と、その周囲に斜めに立ち上がる法面とから形成されるものであり、底面や法面の全面に防水シートを張って敷設することによって、防水施工が行なわれている（例えば特許文献１，２等参照）
図４（ａ）は、底面１とその周囲の法面２から形成される凹部５に防水シート３を敷設して形成される遮水構造の一例を示すものであり、防水シート３として高い伸張性を有する伸張ゴムシート３ｂを用い、伸張ゴムシート３ｂを底面１から法面２にかけての全面に張るようにしてある。凹部５内には大量の水が貯水されるので、その底面１は地盤沈下するおそれがある。このため、防水シート３として高い伸張性を有する伸張ゴムシート３ｂを用い、底面１の沈下に追従して伸張ゴムシート３ｂが伸びることによって破壊が生じることを防ぎ、底面１での遮水性を確保するようにしている。
【０００３】
しかしこのものでは、法面２にも伸張ゴムシート３ｂが敷設されているが、法面２にはその上を人が歩いたりして、様々な外力や衝撃等が作用することが多く、伸長ゴムシート３ｂはこの外力や衝撃等で破断等が生じ易いものであり、法面２において水漏れが発生するおそれがあるという問題がある。
【０００４】
一方、図４（ｂ）では、防水シート３として繊維で補強した補強ゴムシート３ａを用い、補強ゴムシート３ａを底面１から法面２にかけての全面に張るようにしてある。このように、繊維補強して耐衝撃性や耐引裂性を向上した補強ゴムシート３ａを用いることによって、法面２の上を人が歩いたりして、様々な外力や衝撃等が作用しても、補強ゴムシート３ａの強度によって破断等が生じることを防ぎ、法面２での遮水性を確保するようにしている。
【０００５】
しかし、繊維補強した補強ゴムシート３ａは伸びが繊維で拘束されているために伸張性が低く、底面１が地盤沈下した際にこの沈下に補強ゴムシート３ａが追従することができないものであり、凹部５内に貯水された大量の水の重量が底面１において補強ゴムシート３ａに作用し、補強ゴムシート３ａがこの重量によって破壊され、底面１において水漏れが発生するおそれがあるという問題がある。
【０００６】
そこで、図４（ｃ）のものでは、法面２には、耐衝撃性や耐引裂性が高い補強ゴムシート３ａを敷設して、様々な外力や衝撃等が作用しても破断することなく、法面２での遮水性を確保することができるようにし、また底面１には、伸張性の高い伸張ゴムシート３ｂを敷設して、地盤が沈下しても追従して伸びて破壊が生じることなく、底面１での遮水性を確保することができるようにしている。
【先行技術文献】
【特許文献】
【０００７】
【特許文献１】特開平８−２８１２３６号公報
【特許文献２】特開平１１−１９６１４号公報
【発明の概要】
【発明が解決しようとする課題】
【０００８】
ここで、図４のように、底面１の周囲において斜めに立ち上がる法面２には、取水用のポンプや、階段、溝などの構造物４が設置されていることが多い。このため、法面２に防水シート３を敷設する場合には、法面２から突出するこの構造物４の箇所を除いて防水シート３を法面２に張ることになる。
【０００９】
従って上記の図４（ｃ）のように法面２に補強ゴムシート３ａを張るにあたって、補強ゴムシート３ａは構造物４の箇所を除いて法面２に敷設されるものであり、このとき、補強ゴムシート３ａの構造物４の周囲の部分を、構造物４の外周部に接合することによって、構造物４の周囲と補強ゴムシート３ａとの間の防水性を確保するようにしてある。
【００１０】
しかしこのように法面２において、構造物４の外周部に補強ゴムシート３ａを接合するようにしていると、地震などが発生して、構造物４の外周部と補強ゴムシート３ａとの接合部に応力が作用した際に、繊維で補強された補強ゴムシート３ａは伸張性が低いのでこの応力の作用を吸収することができず、接合部が外れたり、補強ゴムシート３ａが破壊されたりして、この部分において水漏れが発生するという問題が生じるものであった。
【００１１】
本発明は上記の点に鑑みてなされたものであり、水漏れの発生を防ぎつつ、防水シートで遮水することができる遮水構造を提供することを目的とするものである。
【課題を解決するための手段】
【００１２】
本発明に係る遮水構造は、略平坦な底面１と、底面１の端縁から斜めに立ち上がる法面２とを有する下地に防水シート３を敷設して形成される遮水構造であって、法面２の一部には構造物４が設置されており、防水シート３として繊維補強された補強ゴムシート３ａと、補強ゴムシート３ａより伸張性の高い伸張ゴムシート３ｂを用い、上記底面１には伸張ゴムシート３ｂが敷設され、上記法面２には構造物４の周囲を除いて補強ゴムシート３ａが敷設されると共に、構造物４と補強ゴムシート３ａの間に伸張ゴムシート３ｂが接合されていることを特徴とするものである。
【発明の効果】
【００１３】
上記のように、底面１には伸張性の高い伸張ゴムシート３ｂが敷設されているので、底面１が沈下してもそれに追従して伸張ゴムシート３ｂが伸びることによって、底面１での遮水性を確保することができると共に、法面２には構造物４の周囲を除いて繊維補強された補強ゴムシート３ａが敷設されているので、法面２に人が歩くなどして種々の外力や衝撃が作用しても、耐衝撃性や耐引裂性が高い補強ゴムシート３ａは破断することがなく、法面２での遮水性を確保することができるものである。そして、法面２の構造物４と補強ゴムシート３ａの間に伸張ゴムシート３ｂが接合されているので、地震などが発生して、構造物４と補強ゴムシート３ａとの間に応力が作用しても、この応力は構造物４と補強ゴムシート３ａの間を接合する伸張ゴムシート３ｂの高い伸張性によって吸収することができるものであり、構造物４と補強ゴムシート３ａの間の接合が外れたり、補強ゴムシート３ａが破壊されたりすることを防ぐことができ、この部分において水漏れが発生することがなくなるものである。
【図面の簡単な説明】
【００１４】
【図１】本発明の実施の形態の一例を示す概略断面図である。
【図２】同上の一部を示すものであり、（ａ）（ｂ）は一部の平面図である。
【図３】補強ゴムシートの一例を示す概略断面図である。
【図４】従来例を示すものであり、（ａ）〜（ｃ）はそれぞれ概略断面図である。
【発明を実施するための形態】
【００１５】
以下、本発明の実施の形態を説明する。
【００１６】
本発明において、防水シート３として、繊維で補強された補強ゴムシート３ａと、補強ゴムシート３ａより伸張性が高い伸張ゴムシート３ｂの、２種類のものを用いる。
【００１７】
補強ゴムシート３ａとしては、補強用繊維をゴム中に埋設したシートを用いることができるものであり、例えば図３のように、織布、網布、不織布などシート状の補強繊維７をゴム層８の間に積層して形成したものを用いることができる。ゴム層８は、例えばエチレン−αオレフィン系ゴムで形成することができるものであり、また補強繊維７の繊維としては、ガラス繊維、カーボン繊維等の無機繊維や、ポリエステル、ポリアミド、ポリオレフィン、ポリビニルアルコール、アラミド等の有機繊維を用いることができるものである。また伸張ゴムシート３ｂとしては、例えば、上記の補強ゴムシート３ａの補強繊維７を含まない、ゴム層８のみのシートで形成したものを用いることができるものである。
【００１８】
補強ゴムシート３ａは、繊維で補強されているので、耐衝撃性や耐引裂性が高いという特性を有するが、反面、伸びが繊維で拘束されることになるために伸張性が低いという欠点を有する。一方、伸張ゴムシート３ｂは、伸びが繊維で拘束されるというようなことがないので、伸張性が高いという特性を有するが、反面、繊維で補強されていないため、耐衝撃性や耐引裂性が低いという欠点を有する。
【００１９】
次に上記の補強ゴムシート３ａと伸張ゴムシート３ｂを防水シート３として用いて遮水施工をする遮水構造を説明する。
【００２０】
ため池や廃棄物処分場など、貯水等がされる凹部５は、中央部の最も深い部分のほぼ平坦な面となった底面１と、底面の周端縁から斜め外方へ立ち上がる法面２とから形成されている。また周囲の法面２の一部には、取水ポンプ、階段、溝等の構造物４が設置されており、この構造物４が法面２の表面から突出している。
【００２１】
そして図１に示すように、凹部５の底面１には、その全面に伸張ゴムシート３ｂを敷いて取り付ける。また法面２には補強ゴムシート３ａを敷いて取り付ける。このとき、補強ゴムシート３ａは、構造物４の設置箇所とその周囲を除いて、法面２の全面に敷いて取り付けるものであり、図２（ａ）に示すように、補強ゴムシート３ａに開口部１０を設け、この開口部１０内に構造物４が位置するように補強ゴムシート３ａの敷設を行なうものである。底面１に敷いた伸張ゴムシート３ｂと、法面２に敷いた補強ゴムシート３ａは、底面１の周端部で端部同士を重ねて接着するようにしてあり、この接着は、伸張ゴムシート３ｂと補強ゴムシート３ａの端部を加熱して融着させたり、接着剤を塗布して貼り合わせたりすることによって、行なうことができるものである。
【００２２】
また上記の図２（ａ）に示すように、補強ゴムシート３ａと構造物４との間には隙間が形成されているが、この隙間の箇所に上から伸張ゴムシート３ｂを重ねて、図２（ｂ）のように伸張ゴム層３ｂで覆うようにしてある。そしてこの伸張ゴムシート３ｂの外側の端部を補強ゴムシート３ａの端部の上に重ね、この部分を加熱して融着したり、接着剤を塗布して貼り合わせたりすることによって、伸張ゴムシート３ｂと補強ゴムシート３ａを接着し、またこの伸張ゴムシート３ｂの内側の端部を構造物４の外面に沿わせて立ち上げさせ、この立上げ端部１２を接着剤等で構造物４に接着するようにしてある。このように構造物４と補強ゴムシート３ａの間に伸張ゴムシート３ｂを接合することによって、構造物４と補強ゴムシート３ａの間の防水性を確保することができるものである。
【００２３】
上記のようにようにして補強ゴムシート３ａと伸張ゴムシート３ｂを用いて施工した遮水構造にあって、凹部５の底面１には伸張性の高い伸張ゴムシート３ｂを敷設するようにしてあるので、底面１が地盤沈下しても、伸張性の高い伸張ゴムシート３ｂはこの沈降に追従して伸びることができるものであり、凹部５に貯水される水の重量で伸張ゴムシート３ｂが破壊されるようなことなく、伸張ゴムシート３ｂで底面１を被覆して、底面１の遮水性を確保することができるものである。
【００２４】
また法面２には構造物４の周囲を除いて繊維補強された補強ゴムシート３ａを敷設するようにしてあるので、法面２に人が歩くなどして種々の外力や衝撃が作用しても、耐衝撃性や耐引裂性が高い補強ゴムシート３ａは破断することがないものであり、補強ゴムシート３ａによって法面２での遮水性を確保することができるものである。
【００２５】
そして、法面２の構造物４と補強ゴムシート３ａの間に伸張ゴムシート３ｂを接合するようにしてあるので、地震などが発生して、構造物４と補強ゴムシート３ａとの間に応力が作用しても、この応力は構造物４と補強ゴムシート３ａの間を接合する伸張ゴムシート３ｂが伸張することによって吸収することができるものである。従って、法面２に敷いた補強ゴムシート３ａと構造物４との間の接合が外れたり、また補強ゴムシート３ａが破壊されたりすることがなくなるものであり、構造物４と補強ゴムシート３ａの間の部分において、水漏れが発生することを防ぐことができるものである。
【符号の説明】
【００２６】
１  底面
２  法面
３  防水シート
３ａ  補強ゴムシート
３ｂ  伸張ゴムシート
４  構造物
【図１】
2011026801.tif 000003
【図２】
2011026801.tif 000004
【図３】
2011026801.tif 000005
【図４】
2011026801.tif 000006